(57)【要約】  【課題】野菜室の収納容器の結露を抑制させ野菜の保鮮性を確保しながら、ＰＥＴボトルの冷却スピードを高めた冷蔵庫を提供する。  【解決手段】野菜室１０７内の上段収納容器１１８の上面開口部に蓋体１２２を設け、下段収納容器１１７内区画された前方に位置するＰＥＴボトル収納部１１９の上面を開放させ、蓋体１２２と第一の仕切壁１２３の間に設けられた風路を経由し、ＰＥＴボトル収納部１１９に流入させることにより、野菜室の後方に位置する収納容器の結露を抑制させ野菜の保鮮性を確保しながら、ＰＥＴボトルの冷却スピードを高める。【選択図】図２
2008256349.tif 000002
【特許請求の範囲】
【請求項１】
貯蔵室を有する冷蔵庫本体と、前記貯蔵室の前面開口部を閉塞する扉と、前記貯蔵室内に設けられ、食品を収納し互いに上下に配置される複数の収納容器と、下方に位置する前記収納容器をＰＥＴボトル収納部と食品収納部に仕切る仕切り部と、上方に位置する前記収納容器の上面開口部を覆う蓋体と、前記貯蔵室内に冷気を導入して冷却するための冷気導入手段とからなり、前記ＰＥＴボトル収納部上面を前記貯蔵室内に開放させたことを特徴とする冷蔵庫。
【請求項２】
前記ＰＥＴボトル収納部を前方に、前記食品収納部を後方に配置した請求項１に記載の冷蔵庫。
【請求項３】
前記仕切り部と上方に位置する前記収納容器で前記食品収納部を略密閉構造としたことを特徴とする請求項１または２に記載の冷蔵庫。
【請求項４】
下方に位置する前記収納容器の前部にスリットを設けたことを特徴とする請求項１から３のいずれか一項に記載の冷蔵庫。
【請求項５】
前記貯蔵室に隣接して位置する他の貯蔵室を前記貯蔵室より設定温度の低い低温室としたことを特徴とする請求項１から４のいずれか一項に記載の冷蔵庫。
【発明の詳細な説明】
【技術分野】
【０００１】
本発明は冷蔵庫の野菜室に関し、野菜室の保鮮性と冷却性能を高めた冷蔵庫に関するものである。
【背景技術】
【０００２】
近年、家庭用冷蔵庫では野菜の保存を目的とし、密閉された野菜専用容器が設けられ、野菜を適正な温度に冷却するとともに、庫内を高湿化し、野菜の蒸散を抑制するよう制御されることにより、低温障害を起こす野菜など一部の野菜を除き、多くの野菜は低温で呼吸が抑制され、高湿により蒸散が防止され鮮度が維持される。一方野菜室は、野菜だけでなく果物や、冷蔵室に温度帯が近いこともあり実際の使用実態をみれば乾物やビン類等多くの種類の食品が収納されている。また、大型冷蔵庫は冷蔵室が最上部に配置されているため、使い勝手を考慮し重量がある１．５Ｌや２．０ＬのＰＥＴボトルを野菜室に収納する構成となっている。
【０００３】
従来この種の冷蔵庫とは、野菜室の収納容器の開口部を蓋で覆い、開口部の前後、左右の隙間を無くし野菜の保鮮性を高めるものである（例えば、特許文献１参照）。
【０００４】
図５、図６は特許文献１に記載された従来の冷蔵庫の野菜室を示すものである。
【０００５】
図５に示すように、冷蔵庫本体１は上方から冷凍室７、冷蔵室８、野菜室９が配設されている。野菜室９は、引出し扉１６に取り付けられた支持体に支持された野菜ケース１４と野菜ケース１４の開口部を覆う蓋体１５とで構成され、引出し扉１６の開閉に伴って野菜ケース１４のみが出入りする。
【０００６】
図６に示すように、野菜室９は野菜ケース１４と蓋体１５で前後、左右を密閉させ野菜の保鮮性を高めるものである。なお、野菜ケース１４の前縁部に設けられた孔１８、蓋体１５の前縁部に設けられた透孔１９は野菜ケース１４の下部やその周辺部の冷気を冷蔵室８側へ流通させるために設けられ、孔１８と透孔１９は対応している。また蓋体１５の前縁下部には、蓋体１５を補強する凸部２０と、内側には野菜ケース１４に密接させて野菜ケース１４を密閉状態にするために凸部２１が設けられている。
【０００７】
以上のように構成された冷蔵庫において、以下その動作について説明する。
【０００８】
野菜室９は、冷蔵室８の背面を流れてきた冷気により、背面、底面の順番に冷却され、冷気は野菜ケース１４の前部に形成された孔１８と透孔１９を通過し冷蔵室８に流入し冷却器１０に戻される。野菜ケース１４に収納された野菜は、野菜ケース１４と蓋体１５が密閉されることにより湿度が高く保たれ保鮮性が高められる。
【特許文献１】実開平７−１８１７９号公報
【発明の開示】
【発明が解決しようとする課題】
【０００９】
しかしながら、上記従来の構成では、野菜室９は冷蔵室８の背面を流れてきた冷気が野菜ケース１４の外周から間接的に冷却するために、野菜室９に投入されたＰＥＴボトルなどの冷却スピードが遅くなる。また、密閉度が高いことにより野菜の保鮮性は高められるが、野菜ケース１４内に結露が発生しやすく、見栄えだけでなく溜まった結露水により野菜が水腐れを起こすことにより部分的に保鮮性が悪化してしまう。
【００１０】
本発明は、上記従来の課題を解決するもので、野菜ケース内の結露を抑制させながら野菜の保鮮性を高めながら尚且つ、ＰＥＴボトルの冷却スピードを速めた冷蔵庫を提供することを目的とする。
【課題を解決するための手段】
【００１１】
上記従来の課題を解決するために、本発明の冷蔵庫は、貯蔵室を有する冷蔵庫本体と、前記貯蔵室の前面開口部を閉塞する扉と、前記貯蔵室内に設けられ、食品を収納し互いに上下に配置される複数の収納容器と、下方に位置する前記収納容器をＰＥＴボトル収納部と食品収納部に仕切る仕切り部と、上方に位置する前記収納容器の上面開口部を覆う蓋体と、前記貯蔵室内に冷気を導入して冷却するための冷気導入手段とからなり、前記ＰＥＴボトル収納部上面を前記貯蔵室内に開放させたものである。これにより、収納容器内の結露を抑制させ野菜の保鮮性を高めながら、ＰＥＴボトルの冷却スピードを速めることができる。
【発明の効果】
【００１２】
本発明の冷蔵庫は、ＰＥＴボトルを速く冷却することができ、かつ、収納容器内の結露を抑制させながら野菜の保鮮性を高めことができる。
【発明を実施するための最良の形態】
【００１３】
請求項１に記載の発明は、貯蔵室を有する冷蔵庫本体と、前記貯蔵室の前面開口部を閉塞する扉と、前記貯蔵室内に設けられ、食品を収納し互いに上下に配置される複数の収納容器と、下方に位置する前記収納容器をＰＥＴボトル収納部と食品収納部に仕切る仕切り部と、上方に位置する前記収納容器の上面開口部を覆う蓋体と、前記貯蔵室内に冷気を導入して冷却するための冷気導入手段とからなり、前記ＰＥＴボトル収納部上面を前記貯蔵室内に開放させたものであり、冷気を野菜室背面から蓋体上部を経由しＰＥＴボトル収納部に導くことにより、収納容器の結露を抑制させ野菜の保鮮性を高めながらＰＥＴボトルの冷却スピードを速めることができる。
【００１４】
請求項２に記載の発明は、請求項１に記載の発明において、ＰＥＴボトル収納部の配置を前方に特定したものであり、ＰＥＴボトルの取出し性並びに使い勝手を配慮した最適のレイアウトである。
【００１５】
請求項３に記載の発明は、請求項１または２に記載の発明において、前記仕切り部と上方に位置する前記収納容器で前記食品収納部を略密閉構造としたものであり、野菜室背面から蓋体上部を経由しＰＥＴボトル収納部に導かれた冷気が食品収納部に流入するのを防止することができ、ＰＥＴボトルの冷却スピードを速めつつ、野菜の保鮮性を高めることができる。
【００１６】
請求項４に記載の発明は、請求項１から３のいずれか一項に記載の発明において、下方に位置する前記収納容器の前部にスリットを設けたものであり、野菜室背面から蓋体上部を経由しＰＥＴボトル収納部に導かれた冷気を効率よく循環させることができ、収納容器の結露を抑制させ野菜の保鮮性を高めながらＰＥＴボトルの冷却スピードを速めることができる。
【００１７】
請求項５に記載の発明は、請求項１から４のいずれか一項に記載の発明において、前記貯蔵室に隣接して位置する他の貯蔵室を前記貯蔵室より設定温度の低い低温室としたものであり、前記低温室の輻射冷却により野菜室の扉開閉や周囲温度が高い高負荷条件においてもＰＥＴボトル収納部の温度を所定の温度に維持することができるため、ＰＥＴボトルの冷却スピードを確保させることができる。
【００１８】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１９】
（実施の形態１）
図１は、本発明の実施の形態１における冷蔵庫の側面断面図である。図２は、同実施の形態における野菜室の側面断面図である。
【００２０】
図において、断熱箱体１０１は外箱１０２と内箱１０３で構成され、内部には例えば硬質発泡ウレタンなどの発泡断熱材１０１ａが充填され周囲と断熱され、複数の貯蔵室に区分されている。最上部に第一の貯蔵室としての冷蔵室１０４、その冷蔵室１０４の下部に第四の貯蔵室としての切換室１０５と第五の貯蔵室としての製氷室１０６が横並びに設けられ、その切換室１０５と製氷室１０６の下部に第二の貯蔵室としての野菜室１０７、そして最下部に第三の貯蔵室としての冷凍室１０８が配置される構成となっている。
【００２１】
冷蔵室１０４は冷蔵保存のために凍らない温度を下限に通常１℃〜５℃としている。また、野菜室１０７は冷蔵室１０４と同等もしくは若干高い温度設定の２℃〜７℃とすることが多い。低温にするほど葉野菜の鮮度を長期間維持することが可能である。冷凍室１０８は冷凍温度帯に設定されており、冷凍保存のために通常−２２℃〜−１５℃で設定されているが、冷凍保存状態の向上のために、例えば−３０℃や−２５℃の低温で設定されることもある。切換室１０５は、１℃〜５℃で設定される冷蔵、２℃〜７℃で設定される野菜、通常−２２℃〜−１５℃で設定される冷凍の温度帯以外に、冷蔵温度帯から冷凍温度帯の間で予め設定された温度帯に切り換えることができる。たとえば、ソフト冷凍（概ね−１２〜−６℃程度），パーシャルフリージング（概ね−５〜−１℃程度），チルド（概ね−１〜１℃程度）等の冷蔵と冷凍の中間の温度帯である。切換室１０５は製氷室１０６に並設された独立扉を備えた貯蔵室であり、引き出し式の扉を備えることが多い。なお、本実施の形態では切換室１０５を冷蔵，冷凍の温度帯までを含めた貯蔵室としているが、冷蔵は冷蔵室１０４，野菜室１０７、冷凍は冷凍室１０８に委ねて、冷蔵と冷凍の中間の上記温度帯のみの切換えに特化した貯蔵室としてももちろん構わない。製氷室１０６は、冷蔵室１０４内の貯水タンク（図示せず）から送られた水で室内上部に設けられた自動製氷機（図示せず）で氷を作り、室内下部に配置した貯氷容器（図示せず）に貯蔵しておくスペースであり、切換室１０５に並設された間口の小さい独立扉を備えた貯蔵室であり、引き出し式の扉を備えることが多い。
【００２２】
断熱箱体１０１の天面部は冷蔵庫の背面方向に向かって階段状に凹みを設けた形状であり、この階段状の凹部に機械室１０１ｂを形成して圧縮機１０９、水分除去を行うドライヤ（図示せず）等の冷凍サイクルの高圧側構成部品が収容されている。すなわち、圧縮機１０９を配設する機械室１０１ｂは、冷蔵室１０４内の最上部の後方領域に食い込んで形成されることになる。手が届きにくくデッドスペースとなっていた断熱箱体１０１の最上部の貯蔵室後方領域に機械室１０１ｂを設けて圧縮機１０９を配置することにより、従来の冷蔵庫で、使用者が使いやすい断熱箱体１０１の最下部にあった機械室のスペースを貯蔵室容量として有効に転化することができ、収納性や使い勝手を大きく改善することができる。なお、本実施の形態における、以下に述べる発明の要部に関する事項は、従来一般的であった断熱箱体１０１の最下部の貯蔵室後方領域に機械室を設けて圧縮機１０９を配置するタイプの冷蔵庫に適用しても構わない。
【００２３】
野菜室１０７と冷凍室１０８の背面には冷却室１１０が設けられ、冷却室１１０は断熱性を有する第一の冷却ダクト１１１により野菜室１０７と冷凍室１０８を仕切っている。冷却室１１０内には、代表的なものとしてフィンアンドチューブ式の冷却器１１２が配設されており、冷却器１１２の上部空間には強制対流方式により冷却器１１２で冷却した冷気を冷蔵室１０４、切換室１０５、製氷室１０６、野菜室１０７、冷凍室１０８に送風する冷却ファン１１３が配置され、冷却器１１２の下部空間には冷却時に冷却器１１２や冷却ファン１１３に付着する霜を除霜する装置としてのガラス管製のラジアントヒータ１１４が設けられている。
【００２４】
野菜室１０７には、野菜室１０７の引き出し扉１１５に取り付けられたフレーム１１６に載置された下段収納容器１１７と、下段収納容器１１７に載置された上段収納容器１１８が配置されている。下段収納容器１１７の前方にはＰＥＴボトルが収納できるようにＰＥＴボトル収納部１１９が設けられ、仕切り部１２０により後方の食品収納部１２１と簡易的に仕切られている。ＰＥＴボトル収納部１１９を前方に配置し、上面を開口し食品収納部１２１を後方に配置することにより背の高いＰＥＴボトルの収納性および取出し性等の使い勝手への配慮がされている。主に上段収納容器１１８と食品収納部１２１に野菜や食品を収納する。なお、上段収納容器１１８は上方向から見て食品収納部１２１内が見渡せるように透明の樹脂で成形されている。
【００２５】
また、引き出し扉１１５が閉ざされた状態で上段収納容器１１８を略密閉するための蓋体１２２が第一の仕切壁１２３及び内箱１０３に保持されている。引き出し扉１１５が閉ざされた状態で蓋体１２２と上段収納容器１１８の上面の左右辺、奥辺が密接し、上面の前辺は略密接している。さらに、上段収納容器１１８の背面の左右下辺と下段収納容器１１７の境界部は、上段収納容器１１８が稼働する上で接触しない範囲で食品収納部１２１の湿気が逃げないよう隙を詰めている。
【００２６】
蓋体１２２と第一の仕切壁１２３の間には、第一の冷却ダクト１１１に構成された野菜室用吐出口１２４から吐出された冷気の導入手段としての風路用に空間が設けられている。また、下段収納容器１１７と第二の仕切壁１２５との間にも空間が設けられ冷気風路を構成している。野菜室１０７の背面下部に相当する第一の冷却ダクト１１１には、野菜室１０７内を冷却し熱交換された冷気が冷却器１１２に戻るための野菜室用吸込み口１２６が設けられている。
【００２７】
フレーム１１６は、固定レール（図示せず）と移動レール（図示せず）と中間レール（図示せず）で構成されたレール部材１２７に支持されている。これにより、野菜室１０７の下段収納容器１１７と上段収納容器１１８は、引き出し扉１１５を前後方向に引き出すのと同期して前後に移動し、引き出し扉１１５を全開した時に下段収納容器１１７と上段収納容器１１８が上方向に容易に着脱できるようになっている。なお、引き出し扉１１５を開くときには、蓋体１２２は冷蔵庫本体側に残り、引き出し扉１１５と同期し前後に移動しない。
【００２８】
また、内箱１０３の左右に溝が形成されていることにより、引き出し扉１１５を全開した時に上段収納容器１１８を冷蔵庫本体側に押し入れることができ、下段収納容器１１７の食品収納部１２１に収納された野菜や食品を全体に見渡せ取り出しやすい構造としている。
【００２９】
なお、本実施形態における、以下に述べる発明のよう要部に関する事項は、従来一般的であった扉に取り付けられたフレームと内箱に設けられたレールにより開閉するタイプの冷蔵庫に適用しても構わない。
【００３０】
以上のように構成された冷蔵庫について、以下その動作、作用を説明する。
【００３１】
まず、冷凍サイクルの動作について説明する。庫内の設定された温度に応じて制御基板（図示せず）からの信号により冷凍サイクルが動作して冷却運転が行われる。圧縮機１０９の動作により吐出された高温高圧の冷媒は、凝縮器（図示せず）である程度凝縮液化し、さらに冷蔵庫本体の側面や背面、また冷蔵庫本体の前面間口に配設された冷媒配管（図示せず）などを経由し冷蔵庫本体の結露を防止しながら凝縮液化し、キャピラリーチューブ（図示せず）に至る。その後、キャピラリーチューブでは圧縮機１０９への吸入管（図示せず）と熱交換しながら減圧されて低温低圧の液冷媒となって冷却器１１２に至る。冷却ファン１１３の動作により、各貯蔵室内の空気と熱交換されて冷却器１１２内の冷媒は蒸発気化し低温の冷気となる。低温の冷気は冷却ファン１１３から第一の冷却ダクト１１１に送られ、冷気の一部は冷凍室１０８に送風される。また残りの冷気はダンパー（図示せず）を経由し切換室１０５と冷蔵室１０４に送風され、所望の冷却を行う。冷却器１１２を出た冷媒は吸入管を経て圧縮機１０９へと吸い込まれる。
【００３２】
野菜室１０７は、冷蔵室１０４を冷却した戻り冷気が第一の冷却ダクト１１１に構成された野菜室用吐出口１２４から吐出され、蓋体１２２と第一の仕切壁１２３の間に設けられた風路を経由し、ＰＥＴボトル収納部１１９に流入する。その後冷気は、主として三方向に分かれ、一部は下段収納容器１１７の前面から下段収納容器１１７と第二の仕切壁１２５との間に設けられた風路を経由し、残りの冷気は下段収納容器１１７の左右側面の空間を経由し、野菜室用吸込み口１２６から冷却器１１２に戻る。
【００３３】
これにより、蓋体１２２の上面は経由するものの、第一にＰＥＴボトル収納部１１９に冷気を導入することができるため、ＰＥＴボトルの冷却スピードを高めることができる。また、これに加えて、冷蔵庫には本体の側面や背面、また冷蔵庫本体の前面間口に冷蔵庫本体の結露を防止するために高温高圧に圧縮された冷媒を流すための冷媒配管が配設されており、例えば設置環境の周囲温度が高い条件下においては、必要以上に冷媒配管温度が上昇しその熱が冷蔵庫内に侵入し熱負荷となる。特に貯蔵室の前部はその影響が大きく、貯蔵室の中央部や奥部と比較し温度が高い。ＰＥＴボトル収納部１１９の上面を開放させたことにより、ＰＥＴボトル収納部１１９の熱の篭りが無くなり、第一にＰＥＴボトル収納部１１９に冷気を導入することにより、野菜室１０７内の均温化をも図ることができる。
【００３４】
また、野菜室１０７を冷却するための冷気を上段収納容器１１８や下段収納容器１１７に直接流入させず、上段収納容器１１８や下段収納容器１１７の外周に流し間接的に冷却することにより、上段収納容器１１８や食品収納部１２１に収納された野菜の水分を奪わず高湿度に保つことができるため、野菜の保鮮性を向上させることができる。
【００３５】
野菜の保鮮性は、野菜の収納環境下を高湿度に保つことが前提であるが、高湿度に保ちすぎると収納容器内に結露し、その結露水により野菜が水腐れを起したり、また見た目にも悪い。野菜の鮮度向上と収納容器内の結露を防止することは相反することであり、そのバランスが重要である。食品収納部１２１に収納された野菜の水分が奪われ易い上段収納容器１１８の背面の左右下辺と下段収納容器１１７の境界部を、上段収納容器１１８が稼働する上で接触しない範囲で隙を詰めることにより、食品収納部１２１の湿度を高く保持することができ、またＰＥＴボトル収納部１１９と食品収納部１２１が仕切り部１２０で簡易的に仕切られているために、ＰＥＴボトル収納部１１９に導かれた冷気により適度に除湿することができ、野菜の鮮度向上と収納容器内の結露防止のバランスを保ち易い。ただ、収納容器内の結露防止は収納容器自体の温度管理が重要であり、局部的に温度が低いところがあると結露してしまうため、第一の冷却ダクト１１１内や第二の仕切壁１２５内にアルミ箔ヒータなどの温度補償用ヒータを埋設し、野菜室１０７内温度と収納容器の温度差を少なくすることが収納容器内の結露防止に繋がる。
【００３６】
また、野菜室１０７内の結露箇所として、蓋体１２２を用い収納容器内を高湿度に保つと蓋体１２２自体に結露することがあるが、冷却ファン１１３から送られ全く熱交換されていない低温の冷気で野菜室１０７内を冷却すると、蓋体１２２が局部冷却され結露や凍結を発生させてしまうため、冷蔵室１０４を冷却した戻り冷気のような比較的温度が高い冷気で野菜室１０７を冷却することにより蓋体１２２の結露を防止することができる。
【００３７】
また、蓋体１２２により密閉度が高くなる上段収納容器１１８においては、上段収納容器１１８に収納される野菜の保鮮性とのバランスを取りながら上段収納容器１１８の側面などにスリットを設けることにより、上段収納容器１１８内結露を防止することができる。
【００３８】
また、食品収納部１２１に収納された野菜の水分が奪われ易い上段収納容器１１８の背面の左右下辺と下段収納容器１１７の境界部は、上段収納容器１１８と下段収納容器１１７が稼動するため、当たりや擦れ防止のために一定の空間が必要である。また、上段収納容器１１８と下段収納容器１１７の成形上のバラツキを考慮した場合、境界部の隙間を詰めることが困難である場合には、ＰＥＴボトル収納部１１９と食品収納部１２１が仕切られている仕切り部１２０を上方向に２点鎖線部で示すように延長または可変させ、上段収納容器１１８との隙間を詰め略密閉構造とすることにより、食品収納部１２１内からの湿気の流出を防止でき食品収納部１２１に収納された野菜の保鮮性を確保することができる。
【００３９】
また、蓋体１２２により密閉する範囲を上段収納容器１１８の上面開口部だけとし、ＰＥＴボトル収納部１１９の上面を開放させたことにより、蓋体１２２と、蓋体１２２と第一の仕切壁１２３との空間の無効スペースを削減できるため有効内容積を増加させることができると同時に、野菜室１０７内高さを抑えることができ、他の貯蔵室等に有効なスペースとして振り替えて冷蔵庫全体の実質的に有効な内容積を増加させることができ、冷蔵庫の貯蔵室レイアウトを考える上で自由度が増し設計的にも好都合である。
【００４０】
また、野菜室１０７を取り囲む貯蔵室において、上方に位置する貯蔵室を製氷室１０６や切換室１０５のような低温室としたことにより、上方に位置する貯蔵室からの熱侵入量が無く、逆に野菜室１０７から熱が奪われ間接的に冷却される。これらの要因もあり、野菜室１０７を冷却する冷気は冷蔵室１０４を冷却した戻り冷気のような比較的温度が高いものでも十分に冷却可能であり、結露防止結露防止の一役を担っている。さらには、例えば冷蔵庫設置環境の周囲温度が高い条件下で、必要以上に冷媒配管温度が上昇しその熱が冷蔵庫内に侵入し熱負荷となる場合においても、上方に位置する貯蔵室が低温であるために野菜室の温度を所定の温度にキープしやすくなる。
【００４１】
すなわち、野菜室に隣接して位置する他の貯蔵室を野菜室より低い低温室としたことで間接的に冷却される輻射冷却効果を有するので冷却スピードも速く、結露も防止でき、ＰＥＴボトル，野菜，食品の冷却に好都合となるものである。
【００４２】
（実施の形態２）
図３は、本発明の実施の形態２における野菜室の側面断面図である。
【００４３】
図において、野菜室１０７内の下段収納容器１１７の前部にスリット１２８を設けたことにより、冷蔵室１０４を冷却した戻り冷気が第一の冷却ダクト１１１に構成された野菜室用吐出口１２４から吐出され、蓋体１２２と第一の仕切壁１２３の間に設けられた風路を経由し、ＰＥＴボトル収納部１１９に流入する。その後冷気は、スリット１２８に積極的に流入し、下段収納容器１１７と第二の仕切壁１２５との間に設けられた風路を経由し、野菜室用吸込み口１２６から冷却器１１２に戻る。これにより、野菜室１０７内の主要な流れが形成されることにより、部分的にＰＥＴボトル収納部１１９から食品収納部１２１への冷気の流入を防ぐことができるため、食品収納部１２１の湿度低下を防止することができ、野菜の保鮮性を確保することができる。
【００４４】
また、野菜室１０７内に吐出された冷気のほとんどが下段収納容器１１７と第二の仕切壁１２５との間に設けられた風路を経由するため、野菜室１０７の下部に位置する冷凍室１０８により熱影響を受け温度が低下した第二の仕切壁１２５に扉開閉などにより発生する結露を防止することができる。また、冷蔵庫の設置環境で周囲温度が低い条件下に置いては、野菜室１０７内および下段収納容器１１７の温度を補償するため第二の仕切壁１２５内にアルミ箔ヒータを埋設しているが、通電時間を短くする制御等で発熱量を抑制することができるため消費電力量の低減を図れる。
【００４５】
（実施の形態３）
図４は、本発明の実施の形態３における冷蔵庫の野菜室近傍の側面断面図である。
【００４６】
本実施の形態では、実施の形態１および２で詳細に説明した構成と異なる部分についてのみ詳細な説明を行い、実施の形態１および２で詳細に説明した構成と同じ部分もしくは、同じ技術思想が適用できる部分については、説明を省略する。
【００４７】
野菜室１０７の冷気の流れは、野菜室吐出風路２０２より野菜室より低温である冷気が野菜室１０７の下方側に備えられた野菜室吐出口１２４から吐出され、下部収納容器１１７の底面の収納容器と断熱箱体間で構成された風路に流れ、前方扉側に流れる。そして下部収納容器１１７の一部に設けられた空気流通孔２０４から収納容器内に流入し、飲料収納部の飲料を冷却する。このとき下部収納容器の奥側の区画は間接冷却により冷却される。そして、冷気は野菜室の天面部に備えられた野菜室吸込み口１２６に流れ、野菜室吸込み風路２０３より冷却器２に循環している。これにより、上部収納容器１１８にも冷気の影響が少なくなっており、保鮮性が維持されることになる。
【００４８】
よって、本実施の形態においては、野菜室内の冷気の流れをコントロールし、上手に使いわけている。まず、低温で乾燥した冷気をＰＥＴボトル等の飲料が置かれることが多い飲料仕切り部１２０の手前部分の収納飲料収納部であるペットボトル収納部１１９に多量に入れて、低温冷気を直接触れることで、冷却スピードを確保し、次に野菜室の手前側から流入した冷気が背面側へと流れるにつれて湿度が高くなっていくようにしている。
【００４９】
このように冷気の流れをコントロールすることによって、スピーディーに冷却したい収納物を手前部分の収納飲料収納部であるペットボトル収納部１１９に収納し、比較的低温障害等が起こりにくい一般的な野菜や果物を下段収納容器１１７へ、より保湿性を高めて保存したい野菜や果物を上段収納容器１１８へと収納することで、それぞれの収納物に合った冷却を行うことができ、より品質が高く保鮮性を向上させた野菜室を提供することが可能となる。
【００５０】
なお、本実施の形態では、ミストを噴霧することを前提としているが、野菜室吐出口１２４から導入した冷気をＰＥＴボトル収納部にまず開放させることで、ＰＥＴボトルの冷却スピードを速めることができるので、ＰＥＴボトルの冷却スピードを速めた上で上段収納容器１１８の保湿性を向上させることができる。
【産業上の利用可能性】
【００５１】
以上のように、本発明にかかる冷蔵庫は、蓋構造と収納容器の構成によって野菜室の保鮮性とＰＥＴボトルの冷却スピードを高めることができるものであり、多様な貯蔵室を複数有する冷蔵庫の用途に広く適用できる。
【図面の簡単な説明】
【００５２】
【図１】本発明の実施の形態１における冷蔵庫の側面断面図
【図２】本発明の実施の形態１における野菜室の側面断面図
【図３】本発明の実施の形態２における野菜室の側面断面図
【図４】本発明の実施の形態３における野菜室の側面断面図
【図５】従来の冷蔵庫の側面断面図
【図６】従来の冷蔵庫の野菜ケースと蓋体の斜視図
【符号の説明】
【００５３】
１０１  断熱箱体
１０５  切換室（低温室）
１０６  製氷室（低温室）
１０７  野菜室（貯蔵室）
１１５  引き出し扉
１１７  下段収納容器（収納容器）
１１８  上段収納容器（収納容器）
１１９  ＰＥＴボトル収納部
１２０  仕切り部
１２１  食品収納部
１２２  蓋体
１２４  野菜室用吐出口（冷気導入手段）
１２８  スリット
【図４】
2008256349.tif 000003
【図１】
2008256349.tif 000004
【図２】
2008256349.tif 000005
【図３】
2008256349.tif 000006
【図５】
2008256349.tif 000007
【図６】
2008256349.tif 000008